(57)【要約】【課題】設置に際し、上流側の配管にかかる負荷を低減できる減圧弁を提供すること。【解決手段】減圧弁２は、流入管１１および当該流入管１１と同軸の流出管１２を有する。また、減圧弁２は、流入管１１と流出管１２とを接続する内部流路２５を備えるハウジング２６を有する。さらに、減圧弁２は、ハウジング２６から管軸方向Ｘと交差する直交方向Ｙに突出する固定部３３を有する。固定部３３は、直交方向Ｙに延びる脚部分３４と、脚部分３４の先端部分からＸ１方向に延びる第１固定板部分３５と、Ｘ２方向に延びる第２固定板部分３６を備える。第１固定板部分３５はボルト締結用の第１切欠き部３７を備え、第２固定板部分３６はボルト締結用の第２切欠き部３８を備える。固定部３３を利用して建物の壁面等に減圧弁２を固定した状態で、減圧弁２に配管を接続できる。【選択図】図３
2020035299.tif 000002
【特許請求の範囲】
【請求項１】
流入管と、
前記流入管と同軸の流出管と、
前記流入管と前記流出管とを接続する内部流路を備えるハウジングと、
前記ハウジングから前記流入管および流出管の管軸方向と交差する方向に突出する固定部と、を有することを特徴とする減圧弁。
【請求項２】
前記内部流路における流体の流通方向の途中で前記管軸方向と直交する直交方向の一方側を向く環状の弁座と、前記直交方向から見た場合に前記弁座と重なる位置に配置され、前記内部流路において前記弁座よりも前記流通方向の下流側に位置する下流側流路部分の壁面の一部分を構成するダイアフラムと、を有し、
前記ダイアフラムは、前記直交方向から見た場合の輪郭形状が円形であり、前記ハウジングによって外周縁を保持され、中央部分が前記内部流路における前記弁座よりも下流側の流体の圧力に応じて前記直交方向に変位し、
前記固定部は、前記直交方向を、前記ダイアフラムから前記弁座に向かう方向に突出することを特徴とする請求項１に記載の減圧弁。
【請求項３】
前記固定部は、前記ハウジングから前記直交方向に延びる脚部分、前記脚部分の先端部分から前記管軸方向の一方側に延びる第１固定板部分、および前記管軸方向の他方側に延びる第２固定板部分と、を備え、
前記第１固定板部分は、ボルト締結用の第１貫通部を備え、
前記第２固定板部分は、ボルト締結用の第２貫通部を備えることを特徴とする請求項２に記載の減圧弁。
【請求項４】
前記固定部は、前記ハウジングから前記直交方向に延びる第１柱部および第２柱部を備え、
前記第１柱部および前記第２柱部は、前記管軸方向に配列されて互いに離間しており、
前記第１柱部の先端面は、前記直交方向に延びるボルト締結用の第１ねじ穴を備え、
前記第２柱部の先端面は、前記直交方向に延びるボルト締結用の第２ねじ穴を備えることを特徴とする請求項２に記載の減圧弁。
【請求項５】
前記流入管は、止水栓部を備え、
前記止水栓部は、前記流入管の途中に区画された弁室と、前記弁室内に配置されたボール弁体と、前記ボール弁体を前記管軸方向と交差する軸線回りに回転させるハンドルと、を備えることを特徴とする請求項１から４のうちのいずれか一項に記載の減圧弁。
【請求項６】
請求項３または４に記載の減圧弁と、
前記減圧弁を設置するための減圧弁設置部材と、
前記減圧弁設置部材は、設置面を備える設置部と、前記設置部の前記設置面とは反対側から当該設置面と垂直な方向に延びる減圧弁取付部と、を備え、
前記減圧弁取付部は、当該減圧弁取付部の延設方向で離間する２か所にボルト締結用の第１穴部および第２穴部を備え、
前記減圧弁は、前記管軸方向を前記延設方向に向けて、前記固定部が前記減圧弁取付部に取り付けられることを特徴とする減圧弁ユニット。
【請求項７】
前記第１穴部および前記第２穴部は、それぞれ前記延設方向の延びる長穴であることを特徴とする請求項６に記載の減圧弁ユニット。
【請求項８】
前記第１穴部および前記第２穴部は、前記延設方向で連続する１つの長穴とされている
ことを特徴とする請求項７に記載の減圧弁ユニット。
【請求項９】
前記流入管に接続された止水栓を備えることを特徴とする請求項６から８のうちのいずれか一項に記載の減圧弁ユニット。
【請求項１０】
前記流入管は、止水栓部を備え、
前記止水栓部は、前記流入管の途中に区画された弁室と、前記弁室内に配置されたボール弁体と、前記ボール弁体を前記管軸方向と交差する軸線回りに回転させるハンドルと、を備えることを特徴とする請求項６から８のうちのいずれか一項に記載の減圧弁ユニット。
【発明の詳細な説明】
【技術分野】
【０００１】
本発明は、水道用の配管の途中に設置する減圧弁に関する。また、減圧弁を設置するための減圧弁ユニットに関する。
【背景技術】
【０００２】
高層ホテルにおいて、各客室の水道に水を供給する給水系は、各階に水を配送する本管と、各階において本管から分岐して各客室に向かって延びる複数の分岐配管とを備える。このような給水系では、最上階の各客室の水道で水圧を確保しようとすると、低い階の各客室の水道において水圧が高くなりすぎる。従って、各階の各分岐配管の途中に必要に応じて減圧弁を設置して、各客室の水道の水圧を所定の圧力に調節する。特許文献１には、このような場合に用いられる減圧弁が記載されている。
【０００３】
特許文献１の減圧弁は、流入管、流入管と同軸の流出管、および、流入管と流出管とを接続する内部流路を備えるハウジングを有する。内部流路の途中には、環状の弁座が設けられている。また、減圧弁は、ハウジングの内部に、内部流路における弁座よりも下流側の圧力に応じて変位するダイアフラムと、ステムを介してダイアフラムに固定された弁体と、を備える。弁体は、ダイアフラムの変位に伴って弁座に接近する方向および離間する方向に移動して、弁座との間の距離を変化させる。これにより、減圧弁は、減圧弁を通過する流体の圧力を所定の圧力に調節する。
【０００４】
特許文献１では、減圧弁は、流入管および流入管が鉛直方向を向く姿勢で分岐配管の途中に接続されている。すなわち、分岐配管における減圧弁よりも上流側の１次側配管部分は鉛直方向に延びており、減圧弁は１次側配管部分の下端に接続されている。
【先行技術文献】
【特許文献】
【０００５】
【特許文献１】特開２００５−３１４９８２号公報
【発明の概要】
【発明が解決しようとする課題】
【０００６】
減圧弁が１次側配管部分の下端に接続されると、１次側配管部分には、少なくとも減圧弁の重量分の負荷がかかる。従って、１次側配管部分を構成する管継手には、このような負荷に耐える強度が要求される。このため、１次側配管部分を構成する管継手には鋳造品が用いられている。ここで、減圧弁を１次側配管部分に接続したときに１次側配管部分にかかる負荷を軽減できれば、１次側配管部分を構成する管継手として樹脂製のものなどを用いて、配管にかかるコストを抑制することが可能となる。
【０００７】
本発明の課題は、このような点に鑑みて、設置に際し、上流側の配管などにかかる負荷を低減できる減圧弁を提供することにある。また、このような減圧弁を備える減圧弁ユニットを提供することにある。
【課題を解決するための手段】
【０００８】
上記課題を解決するために、本発明の減圧弁は、流入管と、前記流入管と同軸の流出管と、前記流入管と前記流出管とを接続する内部流路を備えるハウジングと、前記ハウジングから前記流入管および流出管の管軸方向と交差する方向に突出する固定部と、を有することを特徴とする。
【０００９】
本発明によれば、減圧弁が固定部を備える。従って、固定部を利用して減圧弁を建物の壁面等に固定した状態で、減圧弁に配管を接続できる。よって、減圧弁と配管とを接続したときに、減圧弁の上流側に位置する１次側配管部分に、減圧弁の重量分の負荷がかかることを回避できる。また、固定部は、流入管および流出管とは異なる方向に突出している。従って、流入管および流出管に配管を接続する際に、固定部が配管と干渉することを防止できる。
【００１０】
本発明において、前記内部流路における流体の流通方向の途中で前記管軸方向と直交する直交方向の一方側を向く環状の弁座と、前記直交方向から見た場合に前記弁座と重なる位置に配置され、前記内部流路において前記弁座よりも前記流通方向の下流側に位置する下流側流路部分の壁面の一部分を構成するダイアフラムと、を有し、前記ダイアフラムは、前記直交方向から見た場合の輪郭形状が円形であり、前記ハウジングによって外周縁を保持され、中央部分が前記内部流路における前記弁座よりも下流側の流体の圧力に応じて前記直交方向に変位し、前記固定部は、前記直交方向を、前記ダイアフラムから前記弁座に向かう方向に突出するものとすることができる。減圧弁のダイアフラムは、下流側流路部分の圧力の変動に伴って変位可能とするために、比較的大きな径寸法を備える。従って、固定部がダイアフラムの径方向に延びる場合には、固定部を建物の壁面等に固定する際に、ハウジングにおいてダイアフラムの外周縁を保持するハウジング部分と建物の壁面等が干渉する場合がある。これに対して、固定部が突出する直交方向は、ダイアフラムが変位する方向であり、ダイアフラムの径方向と直交する方向である。従って、固定部を壁面等に固定する際などに、ダイアフラムを保持するハウジング部分と壁面等との干渉を避けることができる。
【００１１】
本発明において、前記固定部は、前記ハウジングから前記直交方向に延びる脚部分、前記脚部分の先端部分から前記管軸方向の一方側に延びる第１固定板部分、および前記管軸方向の他方側に延びる第２固定板部分と、を備え、前記第１固定板部分は、ボルト締結用の第１貫通部を備え、前記第２固定板部分は、ボルト締結用の第２貫通部を備えることを特徴とする請求項２に記載の減圧弁。このような固定部を備えれば、２本のボルトと、これらに螺合する２つのナットと、を用いて減圧弁を固定できる。また、第１固定板部分および第２固定板部分は管軸方向に延びる。従って、固定部を設けることにより、減圧弁が、管軸方向および直交方向と直交する幅方向で大きくなることを防止或いは抑制できる。
【００１２】
本発明において、前記固定部は、前記ハウジングから前記直交方向に延びる第１柱部および第２柱部を備え、前記第１柱部および前記第２柱部は、前記管軸方向に配列されて互いに離間しており、前記第１柱部の先端面は、前記直交方向に延びるボルト締結用の第１ねじ穴を備え、前記第２柱部の先端面は、前記直交方向に延びるボルト締結用の第２ねじ穴を備えるものとすることができる。このような固定部を備えれば、２本のボルトを用いて減圧弁を固定できる。また、第１柱部および第２柱部は管軸方向に配列されている。従って、固定部を設けることにより、減圧弁が、管軸方向および直交方向と直交する幅方向で大きくなることを防止或いは抑制できる。
【００１３】
本発明において、前記流入管は、止水栓部を備え、前記止水栓部は、前記流入管の途中に区画された弁室と、前記弁室内に配置されたボール弁体と、前記ボール弁体を前記管軸方向と交差する軸線回りに回転させるハンドルと、を備えるものとすることができる。このようにすれば、減圧弁にボール止水栓の機能を備えることができる。ここで、減圧弁の流入管に止水栓部を備えれば、その分だけ、減圧弁の重量が嵩む。従って、減圧弁と分岐配管とを接続した場合には、減圧弁の上流側に位置する１次側配管部分には、止水栓部を備えていない減圧弁の重量分以上の負荷がかかるという問題がある。このような問題に対して、減圧弁は固定部を備える。従って、固定部を利用して減圧弁を建物の壁面などに固定すれば、減圧弁の重量が嵩んだ場合でも、１次側配管部分にかかる負荷を低減できる。
よって、１次側配管部分を構成する管継手として樹脂製のものなどを用いて、配管にかかるコストを抑制できる。
【００１４】
次に、本発明の減圧弁ユニットは、上記の減圧弁と、減圧弁と、前記減圧弁を設置するための減圧弁設置部材と、前記減圧弁設置部材は、設置面を備える設置部と、前記設置部の前記設置面とは反対側から当該設置面と垂直な方向に延びる減圧弁取付部と、を備え、前記減圧弁取付部は、当該減圧弁取付部の延設方向で離間する２か所にボルト締結用の第１穴部および第２穴部を備え、前記減圧弁は、前記管軸方向を前記延設方向に向けて前記固定部が前記減圧弁取付部に取り付けられることを特徴とする。
【００１５】
本発明によれば、減圧弁設置部材を用いて減圧弁を設置できる。ここで、減圧弁設置部材の減圧弁取付部はボルト締結用の第１穴部および第２穴部を備える。従って、これらの２つの穴部を利用して、減圧弁の固定部を減圧弁取付部に固定できる。また、設置面を建物の床面に当接させて減圧弁設置部材を設置すれば、減圧弁取付部は上下方向に延びた状態となり、減圧弁取付部に固定された減圧弁は管軸方向を上下方向に向けた姿勢となる。従って、減圧弁よりも上流側に位置する１次側配管部分が上下方向に延びている場合には、１次側配管部分と減圧弁とを接続することが容易である。また、減圧弁は減圧弁設置部材により支持されているので、１次側配管部分の下端に減圧弁を接続した場合でも、１次側配管部分にかかる荷重が小さい。
【００１６】
本発明において、前記第１穴部および前記第２穴部は、それぞれ前記延設方向の延びる長穴であることが望ましい。このようにすれば、減圧弁取付部に固定する減圧弁の固定位置を、減圧弁取付部の延設方向において調節できる。
【００１７】
この場合において、前記第１穴部および前記第２穴部は、前記延設方向で連続する１つの長穴とすることもできる。
【００１８】
本発明において、前記流入管に接続された止水栓を備えることが望ましい。このようにすれば、止水栓を閉じることにより、減圧弁への水の流入を停止できる。従って、減圧弁を交換する際に止水栓を閉じれば、上流側からの水が飛散することを防止できる。
【００１９】
本発明において、前記流入管は、止水栓部を備え、前記止水栓部は、前記流入管の途中に区画された弁室と、前記弁室内に配置されたボール弁体と、前記ボール弁体を前記管軸方向と交差する軸線回りに回転させるハンドルと、を備えるものとすることができる。このようにすれば、減圧弁にボール止水栓の機能を備えることができる。
【発明の効果】
【００２０】
本発明の減圧弁は、固定部を備える。従って、固定部を利用して減圧弁を建物の壁面等に固定した状態で、減圧弁に配管を接続できる。よって、減圧弁と配管とを接続したときに、減圧弁の上流側に位置する１次側配管部分に、減圧弁の重量分の負荷がかかることを回避できる。また、固定部は、流入管および流出管とは異なる方向に突出している。従って、流入管および流出管に配管を接続する際に、固定部が配管と干渉することを防止できる。
【００２１】
また、本発明の減圧弁ユニットによれば、減圧弁設置部材を用いて減圧弁を設置できる。ここで、減圧弁設置部材の減圧弁取付部はボルト締結用の２つの穴部を備えるので、減圧弁の固定部を減圧弁取付部に固定することが容易である。また、設置面を建物の床面に当接させて減圧弁設置部材を設置すれば、減圧弁取付部は上下方向に延びた状態となり、減圧弁取付部に固定された減圧弁は管軸方向を上下方向に向けた姿勢となる。従って、減圧弁よりも上流側に位置する１次側配管部分が上下方向に延びている場合には、１次側配
管部分と減圧弁とを接続することが容易である。また、減圧弁は減圧弁設置部材により支持されているので、１次側配管部分の下端に減圧弁を接続した場合でも、１次側配管部分にかかる荷重が小さい。
【図面の簡単な説明】
【００２２】
【図１】減圧弁ユニットの側面図である。
【図２】減圧弁設置部材の説明図である。
【図３】減圧弁ユニットの断面図である。
【図４】変形例１の減圧弁の断面図である。
【図５】変形例２の減圧弁を備える減圧弁ユニットの側面図である。
【図６】変形例２の減圧弁を備える減圧弁ユニットの断面図である。
【発明を実施するための形態】
【００２３】
以下に、図面を参照して、本発明の実施の形態である減圧弁ユニットおよび減圧弁を説明する。
【００２４】
（減圧弁ユニット）
図１（ａ）は、減圧弁ユニットを減圧弁の側から見た場合の側面図である。図１（ｂ）は、減圧弁ユニットを図１（ａ）と直交する方向から見た場合の側面図である。減圧弁ユニット１は、減圧弁２と、止水栓３と、減圧弁２を設置するための減圧弁設置部材４と、を備える。減圧弁ユニット１は、高層ホテルにおいて各客室の水道に水を供給する給水系の配管の途中に減圧弁２を設置するために用いられる。
【００２５】
すなわち、高層ホテルの給水系は、各階に水を配送する本管（不図示）と、各階において本管から分岐して各客室に向かって延びる複数の分岐配管６とを備える。このような給水系では、最上階の各客室の水道で水圧を確保しようとすると、低い階の各客室の水道では水圧が高くなりすぎる。従って、各階の各分岐配管６の途中に必要に応じて減圧弁２を設置して、各客室の水道の水圧を所定の圧力に調節する。
【００２６】
図１に示すように、減圧弁２は、流入管１１および当該流入管１１と同軸の流出管１２を有する。減圧弁設置部材４は、設置面１５ａを備える設置部１５と、設置部１５の設置面１５ａとは反対側から当該設置面１５ａと垂直な方向に延びる減圧弁取付部１６と、を備える。減圧弁取付部１６は減圧弁２および止水栓３の一方側に位置する。
【００２７】
以下の説明では、減圧弁２の流入管１１および流出管１２の管軸Ｏに沿った方向を減圧弁２の管軸方向Ｘとする。管軸方向Ｘにおいて止水栓３が位置する側をＸ１方向とする。また、管軸方向Ｘと直交する方向を減圧弁２の直交方向Ｙとし、管軸方向Ｘおよび直交方向Ｙと直交する方向を減圧弁２の幅方向Ｚとする。直交方向Ｙは、減圧弁２と減圧弁取付部１６とが対向する方向である。直交方向Ｙにおいて減圧弁取付部１６が位置する側をＹ１方向、減圧弁２が位置する側をＹ２方向とする。ここで、減圧弁２が減圧弁設置部材４に取り付けられた状態では、管軸方向Ｘと減圧弁取付部１６の延設方向Ｌとは一致する。従って、減圧弁設置部材４の説明においては、互いに異なる３方向を延設方向Ｌ、直交方向Ｙ、幅方向Ｚとする。
【００２８】
（減圧弁設置部材）
図２（ａ）は、減圧弁設置部材４を減圧弁２が固定される側から見た場合の側面図である。図２（ｂ）は、減圧弁設置部材４を図２（ａ）と直交する方向から見た場合の側面図である。図２（ｃ）は、減圧弁設置部材４を減圧弁取付部１６の延設方向Ｌから見た場合の平面図である。
【００２９】
減圧弁設置部材４の設置部１５は板状であり、平面形状は略正方形である。減圧弁取付部１６は、減圧弁設置部材４の中央部分から設置面１５ａと直交する方向に突出する。設置部１５における４辺の縁には、それぞれ切欠き部１７が設けられている。減圧弁設置部材４を、例えば、高層ホテルの各階の床面に固定する際には、設置面１５ａを床面に当接させる。また、切欠き部１７に、各階の床面から突出するアンカーを貫通させる。そして、設置部１５とアンカーとをナット或いは溶接等により締結する。減圧弁設置部材４を床面に設置した状態では、減圧弁取付部１６は、床面から上方に延びる。
【００３０】
減圧弁取付部１６は、設置面１５ａと垂直な方向に一定幅で延びる第１取付板部分１９と、第１取付板部分１９に沿って設置面１５ａと垂直な方向に一定幅で延びる第２取付板部分２０と、を備える。第１取付板部分１９における第２取付板部分２０の側の端と第２取付板部分２０の第１取付板部分１９の側の端とは連続しており、第１取付板部分１９の厚み方向と第２取付板部分２０側の厚み方向とは直交する。従って、図２（ｃ）に示すように、減圧弁取付部１６を、設置面１５ａと垂直な延設方向Ｌから見た場合の形状は、Ｌ字形状である。第１取付板部分１９には、延設方向Ｌで離間する位置に第１穴部２１および第２穴部２２が設けられている。第１穴部２１および第２穴部２２のそれぞれは、延設方向Ｌに延びる長穴である。
【００３１】
（減圧弁）
図３は、減圧弁ユニット１の断面図である。図３では、止水栓３および減圧弁２の周辺を拡大して示す。図３に示すように、減圧弁２の流入管１１は、Ｘ１方向の端部分の外周面に雄ねじ１１ａを備える。流出管１２は、Ｘ２方向の端部分の外周面に雄ねじ１２ａを備える。また、減圧弁２は、流入管１１と流出管１２とを接続する内部流路２５を備えるハウジング２６を有する。
【００３２】
図３に示すように、内部流路２５は、直交方向Ｙに延びる流路部分２５ａを備える。当該流路部分２５ａの途中には、Ｙ１方向を向く環状の弁座２７が設けられている。また、減圧弁２は、ハウジング２６内にダイアフラム２８を有する。ダイアフラム２８は、内部流路２５において弁座２７よりも水の流通方向Ｓの下流側に位置する下流側流路部分２５ｂの壁面の一部分を構成する。ダイアフラム２８は、直交方向Ｙから見た場合に弁座２７と重なる位置に配置されている。
【００３３】
図１（ａ）に鎖線で示すように、ダイアフラム２８は、直交方向Ｙから見た場合の輪郭形状が円形である。ダイアフラム２８は、外周縁がハウジング２６によって保持されている。また、ダイアフラム２８は、ハウジング２６内に配置されたコイルバネ２９により、その中央部分が、直交方向Ｙにおける所定の位置に支持されている。減圧弁２は、直交方向Ｙから見たときに、ハウジング２６においてダイアフラム２８を内周側に保持するハウジング部分２６ａの幅が最も広い。
【００３４】
ここで、ダイアフラム２８は、その中央部分が、下流側流路部分２５ｂの流体の圧力に応じて直交方向Ｙに変位する。
【００３５】
また、減圧弁２は、図３に示すように、ダイアフラム２８の中央部分に固定されて直交方向ＹをＹ１方向に延びるステム３０を備える。ステム３０は、内部流路２５における弁座２７よりも流通方向Ｓの上流側に位置する上流側流路部分２５ｃを経由して、弁座２７を貫通し、その先端部が上流側流路部分２５ｃに達する。ステム３０の先端部（ダイアフラム２８とは反対側に端）には、弁体３１が取り付けられている。弁体３１は円環状である。弁体３１は、下流側流路部分２５ｂに位置しており、Ｙ１方向の側から弁座２７に対向する。
【００３６】
ダイアフラム２８の中央部分が内部流路２５における下流側流路部分２５ｂの流体の圧力に応じて直交方向Ｙに変位すると、ステム３０がダイアフラム２８の変位に伴って直交方向Ｙに移動する。これにより、弁体３１が弁座２７に接近する方向および離間する方向に変位して、弁座２７との間の距離を変化させる。すなわち、減圧弁２は、ダイアフラム２８の変位に伴って弁の開口度を変化させる。これにより、減圧弁２は、当該減圧弁２を通過する水の圧力を所定の圧力に調節する。
【００３７】
さらに、減圧弁２は、ハウジング２６から管軸方向Ｘと交差する直交方向Ｙに突出する固定部３３を有する。固定部３３は、ハウジング２６から直交方向Ｙに延びる脚部分３４と、脚部分３４の先端部分から管軸方向ＸをＸ１方向に延びる第１固定板部分３５と、管軸方向ＸをＸ２方向に延びる第２固定板部分３６と、を備える。第１固定板部分３５および第２固定板部分３６は、その厚み方向を直交方向Ｙに向けている。第１固定板部分３５は、Ｘ１方向の端縁にボルト締結用の第１切欠き部３７（第１貫通部）を備える。第２固定板部分３６は、Ｘ２方向の端縁にボルト締結用の第２切欠き部３８（第２貫通部）を備える。なお、第１切欠き部３７および第２切欠き部３８は、貫通穴でもよい。
【００３８】
（止水栓）
止水栓３は、本例では、ボール止水栓である。図３に示すように、止水栓３は、ボール弁体４１と、弁箱４２と、ボール弁体４１を回転させるためのハンドル４３と、を備える。ボール弁体４１は、弁箱４２の内部に区画された弁室４４に収容されている。ハンドル４３は、直交方向Ｙに延びる軸部４５と、軸部４５のＹ２方向の端部分に設けられた摘み部４６と、を備える。軸部４５のＹ１方向の端部はボール弁体４１に固定され、Ｙ２方向の端部分は弁箱４２からＹ２方向に突出している。摘み部４６は、軸部４５において、弁箱４２から突出している部分に取り付けられている。
【００３９】
また、止水栓３は、弁箱４２からＸ１方向に突出する第１接続管４７と、弁箱４２からＸ２方向に延びる第２接続管４８とを備える。第１接続管４７および第２接続管４８は、減圧弁２の流入管１１および流出管１２と同軸である。第２接続管４８のＸ２方向の端部分には、袋ナット４９が取り付けられている。袋ナット４９は、管軸Ｏ回りに回転可能、かつ、管軸方向Ｘに移動不能な状態で第２接続管４８の外周側に支持されている。止水栓３の第２接続管４８は、袋ナット４９の雌ねじ４９ａが、逆止２弁の流入管１１の雄ねじ１１ａに螺合することにより、流入管１１に接続される。本例では、第２接続管４８と流入管１１との間にはパッキン５０が介在する。
【００４０】
（減圧弁の減圧弁設置部材への固定）
図１に示すように、減圧弁２は、ボルト締結機構５１により、減圧弁設置部材４に固定される。ボルト締結機構５１は、図３に示すように、固定部３３に設けられた第１切欠き部３７および第２切欠き部３８、並びに、減圧弁取付部１６に設けられた第１穴部２１および第２穴部２２を備える。また、ボルト締結機構５１は、第１切欠き部３７および第１穴部２１を貫通して延びる第１ボルト５３、第２切欠き部３８および第２穴部２２を貫通して延びる第２ボルト５４、第１ボルト５３に螺合する第１ナット５６、および第２ボルト５４に螺合する第２ナット５７を備える。
【００４１】
第１ナット５５は、固定部３３における第１切欠き部３７の開口縁と減圧弁取付部１６における第１穴部２１の開口縁とを第１ボルト５３の頭部との間に挟んで、減圧弁２を減圧弁取付部１６に固定する。第２ナット５６は、固定部３３における第２切欠き部３８の開口縁と減圧弁取付部１６における第２穴部２２の開口縁とを第２ボルト５４の頭部との間に挟んで、減圧弁２を減圧弁取付部１６に固定する。
【００４２】
ここで、減圧弁２が減圧弁取付部１６に取り付けられた状態では、減圧弁２の管軸方向
Ｘと、減圧弁取付部１６の延設方向Ｌとは、一致する。従って、図１に示すように、減圧弁取付部１６が建物の床面に設置された場合には、減圧弁２の管軸方向Ｘは上下方向となり、止水栓３および減圧弁２は上下方向に配列される。ここで、図１（ａ）に示すように、直交方向Ｙ方向から見た場合には、減圧弁２および止水栓３は、減圧弁取付部１６と重なる。幅方向Ｚにおける減圧弁取付部１６の幅寸法は、減圧弁２においてダイアフラム２８を内周側に保持するハウジング部分２６ａの幅寸法以下である。
【００４３】
（減圧弁の分岐配管への接続、および減圧弁の交換）
本例では、止水栓３と減圧弁２とは予め袋ナット４９より締結された状態とされている。減圧弁２を設置する際には、図１に示すように、減圧弁設置部材４を建物の床面に設置する。そして、ボルト締結機構５１により、減圧弁２を減圧弁設置部材４に固定する。
【００４４】
ここで、減圧弁設置部材４の減圧弁取付部１６に設けられた第１穴部２１および第２穴部２２は、それぞれ減圧弁取付部１６の延設方向Ｌに延びる長穴である。従って、減圧弁２を固定する際に、その固定位置を、長穴（第１穴部２１および第２穴部２２）の範囲で上下方向に移動させて調節できる。
【００４５】
次に、止水栓３の第１接続管４７に、分岐配管６における１次側配管部分６１を接続する。また、減圧弁２の第２接続管４８に、分岐配管６における２次側配管部分６２を接続する。
【００４６】
ここで、減圧弁２が、高層ホテルの分岐配管６の途中に設置されると、減圧弁２のダイアフラム２８は、客室の水道が使用される毎に変位する。従って、ダイアフラム２８には頻繁に負荷がかかる。よって、減圧弁２は、ダイアフラム２８の損傷により、故障する場合がある。
【００４７】
このような場合には、まず、止水栓３を操作して、１次側配管部分６１から減圧弁２への水の流入を停止する。次に、止水栓３の袋ナット４９を回転させて止水栓３と減圧弁２との締結を解除する。また、減圧弁２と、２次側配管部分６２との接続を解除する。その後、新たな減圧弁２と、止水栓３および２次側配管部分６２とを締結する。しかる後に、止水栓３を操作して、水を１次側配管部分６１から減圧弁２へ流通させる。
【００４８】
（作用効果）
本例によれば、減圧弁２が固定部３３を備える。従って、固定部３３を利用して減圧弁２を減圧弁設置部材４に固定した状態で、減圧弁２に分岐配管６を接続できる。よって、減圧弁２と分岐配管６とを接続したときに、減圧弁２の上流側に位置する１次側配管部分６１に、減圧弁２の重量分の負荷がかかることを回避できる。また、固定部３３は、流入管１１および流出管１２とは異なる方向に突出している。従って、流入管１１および流出管１２に分岐配管６を接続する際に、固定部３３が分岐配管６と干渉することを防止できる。
【００４９】
また、本例では、減圧弁２と減圧弁設置部材４とが減圧弁ユニット１とされている。従って、分岐配管６の途中に減圧弁２を設置する際に、減圧弁設置部材４を用いることができる。ここで、減圧弁設置部材４は設置面１５ａを備える、従って、減圧弁設置部材４を建物の床面等に設置することが容易である。
【００５０】
また、減圧弁設置部材４の減圧弁取付部１６は、ボルト締結用の第１穴部２１および第２穴部２２を備える。従って、これらの第１穴部２１および第２穴部２２を利用して、減圧弁２を減圧弁設置部材４に固定できる。
【００５１】
さらに、設置面１５ａを建物の床面等に当接させて減圧弁設置部材４を設置した場合には、減圧弁取付部１６は上下方向に延びた状態となる。また、減圧弁取付部１６に固定した減圧弁２は、管軸方向Ｘを上下方向に向けた姿勢となる。従って、減圧弁２よりも上流側に位置する１次側配管部分６１が上下方向に延びている場合には、この１次側配管部分６１と減圧弁２とを接続することが容易である。また、減圧弁２が減圧弁設置部材４に固定されているので、１次側配管部分６１の下端に減圧弁２を接続した場合でも、１次側配管部分６１にかかる荷重が小さい。
【００５２】
ここで、減圧弁２のダイアフラム２８は、下流側流路部分２５ｂの圧力の変動に伴って変位するように、比較的大きな径寸法を備える。従って、固定部３３がダイアフラム２８の径方向に延びる場合には、固定部３３を減圧弁取付部１６に固定する際に、ハウジング２６においてダイアフラム２８を内周側に保持するハウジング部分２６ａと減圧弁取付部１６とが干渉する場合がある。これに対して、本例では、固定部３３が突出する直交方向Ｙは、ダイアフラム２８が変位する方向であり、ダイアフラム２８の径方向と直交する方向である。従って、固定部３３を減圧弁取付部１６に固定したときに、減圧弁取付部１６とダイアフラム２８とが干渉することがない。
【００５３】
また。本例では、固定部３３の第１固定板部分３５および第２固定板部分３６が管軸方向Ｘに延びる。従って、固定部３３を設けることにより、減圧弁２が幅方向Ｚで大きくなることを防止或いは抑制できる。
【００５４】
さらに、幅方向Ｚにおける減圧弁取付部１６の幅寸法は、減圧弁２においてダイアフラム２８を内周側に保持するハウジング部分２６ａの幅寸法以下である。また、直交方向Ｙ方向から見た場合には、減圧弁２および止水栓３は、減圧弁取付部１６と重なる。従って、減圧弁２を減圧弁取付部１６に固定した状態で減圧弁設置部材４を建物の床面に設置したときに、減圧弁２および減圧弁取付部１６が占有する空間を小さくできる。
【００５５】
また、減圧弁ユニット１は、減圧弁２の上流側に止水栓３を備える。従って、止水栓３を閉じることにより、減圧弁２への水の流入を停止できる。従って、減圧弁２を交換する際に止水栓３を閉じれば、１次側配管部分６１からの水が飛散することがない。
【００５６】
（変形例１）
図４は変形例１の減圧弁の説明図である。本例の減圧弁２Ａは、固定部３３を除き、上記の減圧弁２と同様の構成を備える。従って、減圧弁２と対応する構成には同一の符号を付してその説明を省略する。
【００５７】
固定部３３は、ハウジング２６から直交方向Ｙに延びる第１柱部７１および第２柱部７２を備える。第１柱部７１および第２柱部７２は、管軸方向Ｘに配列されて互いに離間している。第１柱部７１は第２柱部７２のＸ１方向に位置する。第１柱部７１の先端面には直交方向Ｙに延びるボルト締結用の第１ねじ穴７３が設けられている。第２柱部７２の先端面には直交方向Ｙに延びるボルト締結用の第２ねじ穴７４が設けられている。
【００５８】
本例においても、減圧弁２Ａは、ボルト締結機構５１により、減圧弁設置部材４に固定される。ボルト締結機構５１は、第１ねじ穴７３および第２ねじ穴７４、減圧弁取付部１６に設けられた第１穴部２１および第２穴部２２、並びに、第１ボルト５３および第２ボルト５４を備える。減圧弁２Ａは、第１ボルト５３が第１穴部２１を貫通して第１ねじ穴７３に捩じ込まれ、第２ボルト５４が、第２穴部２２を貫通して第２ねじ穴７４に捩じ込まれることにより減圧弁設置部材４に固定される。本例の減圧弁２Ａにおいても、上記の減圧弁２と同様の作用効果を得ることができる。
【００５９】
（変形例２）
図５は変形例２の減圧弁を備える減圧弁ユニットの説明図である。図６は変形例２の減圧弁を備える減圧弁ユニットの断面図である。本例の減圧弁ユニット１００は、変形例２の減圧弁２Ｂと、減圧弁設置部材４と、を備える。減圧弁設置部材４は、減圧弁ユニット１の減圧弁設置部材４と同一である。減圧弁２Ｂは、流入管１１の構成を除き、上記の減圧弁２と同様の構成を備える。以下では、減圧弁２Ｂにおいて、減圧弁２と対応する構成には同一の符号を付してその説明を省略する。
【００６０】
図５、図６に示すように、減圧弁２Ｂは、流入管１１に止水栓部７５を備える。止水栓部７５は、流入管１１の途中に区画された弁室７６と、弁室７６内に配置されたボール弁体７７と、ボール弁体７７を直交方向Ｙに延びる軸線回りに回転させるハンドル７８と、を備える。ハンドル７８は、直交方向Ｙに延びる軸部７９と、軸部７９のＹ２方向の端部分に設けられた摘み部８０と、を備える。軸部７９のＹ１方向の端部はボール弁体７７に固定され、Ｙ２方向の端部分は流入管１１からＹ２方向に突出する。摘み部８０は、軸部７９において、流入管１１から突出している部分に取り付けられている。
【００６１】
減圧弁２Ｂを直交方向Ｙから見た場合には、図５（ａ）に示すように、止水栓部７５の幅は、ハウジング２６においてダイアフラム２８を内周側に保持するハウジング部分２６ａの幅よりも狭い。言い換えれば、減圧弁２Ｂは、直交方向Ｙから見たときに、ハウジング２６においてダイアフラム２８を内周側に保持するハウジング部分２６ａの幅が最も広い。また、減圧弁２Ｂを減圧弁設置部材４に固定した状態を直交方向Ｙから見た場合には、減圧弁２Ｂは、減圧弁取付部１６と重なる。また、減圧弁取付部１６の幅寸法は、減圧弁２Ｂのハウジング部分２６ａの幅寸法以下である。従って、減圧弁ユニット１００を建物の床面に設置したときに、減圧弁２Ｂおよび減圧弁取付部１６が占有する空間を小さくできる。
【００６２】
本例では、減圧弁２Ｂの流入管１１に、止水栓部７５として、ボール止水栓が構成されている。従って、減圧弁２Ｂは、止水栓部７５を備える分だけ、重量が嵩んでいる。よって、減圧弁２Ｂと分岐配管６とを接続した場合には、減圧弁２Ｂの上流側に位置する１次側配管部分６１には、止水栓部７５を備えていない減圧弁２Ｂの重量分以上の負荷がかかるという問題が発生する。
【００６３】
このような問題に対して、減圧弁２Ｂは固定部３３を備える。従って、固定部３３を利用して減圧弁２を減圧弁設置部材４に固定すれば、減圧弁２Ｂが重い場合でも、１次側配管部分６１にかかる負荷を低減できる。よって、１次側配管部分６１を構成する管継手として樹脂製のものなどを用いて、配管にかかるコストを抑制できる。
【００６４】
また、本例では、減圧弁２Ｂに、止水栓部７５として、ボール止水栓が一体に設けられている。換言すれば、本例の減圧弁２Ｂは、ボール止水栓の機能を備える。従って、減圧弁２Ｂの流入管１１に、別途、止水栓３を接続する必要がない。よって、図６に示すように、減圧弁２に替えて本例の減圧弁２Ｂを採用した減圧弁ユニット１００では、止水栓３を省略できる。また、止水栓部７５を閉じることにより、減圧弁２Ｂへの水の流入を停止できる。従って、ダイアフラムなどを交換する際などに、止水栓部７５を閉じれば、減圧弁２Ｂの内部流路２５に水が流入することを防止できる。
【００６５】
なお、本例の減圧弁２Ｂの固定部３３として、減圧弁２Ａの固定部３３を採用できることは勿論である。
【００６６】
（その他の実施の形態）
ここで、減圧弁２、２Ａ、２Ｂは、固定部３３を利用して、建物の壁面等に直接固定し
てもよい。
【００６７】
また、上記の例では、減圧弁設置部材４は、第１穴部２１および第２穴部２２を備えるが、図２に点線で示すように、これらを減圧弁取付部１６の延設方向Ｌで連続する１つの長穴２３とすることができる。このようにしても、減圧弁２、２Ａを減圧弁取付部１６に固定できる。また、長穴２３の範囲において、減圧弁２、２Ａの位置を、減圧弁取付部１６の延設方向Ｌで調節できる。
【符号の説明】
【００６８】
１、１００…減圧弁ユニット、２、２Ａ、２Ｂ…減圧弁、３…止水栓、４…減圧弁設置部材、６…分岐配管、１１…流入管、１２…流出管、１５…設置部、１５ａ…設置面、１６…減圧弁取付部、１７…切欠き部、１９…第１取付板部分、２０…第２取付板部分、２１…第１穴部、２２…第２穴部、２３…長穴、２５…内部流路、２５ａ…流路部分、２５ｂ…下流側流路部分、２５ｃ…上流側流路部分、２６…ハウジング、２６ａ…ハウジング部分、２７…弁座、２８…ダイアフラム、２９…コイルバネ、３０…ステム、３１…弁体、３３…固定部、３４…脚部分、３５…第１固定板部分、３６…第２固定板部分、３７…第１切欠き部、３８…第２切欠き部、４１…ボール弁体、４２…弁箱、４３…ハンドル、４４…弁室、４５…軸部、４６…摘み部、４７…第１接続管、４８…第２接続管、４９…袋ナット、５０…パッキン、５１…ボルト締結機構、５３…第１ボルト、５４…第２ボルト、５６…第１ナット、５７…第２ナット、６１…１次側配管部分、６２…２次側配管部分、７１…第１柱部、７２…第２柱部、７３…第１ねじ穴、７４…第２ねじ穴、７５…止水栓部、７６…弁室、７６…弁室、７７…ボール弁体、７８…ハンドル、７９…軸部、８０…摘み部
【図１】
2020035299.tif 000003
【図２】
2020035299.tif 000004
【図３】
2020035299.tif 000005
【図４】
2020035299.tif 000006
【図５】
2020035299.tif 000007
【図６】
2020035299.tif 000008